(57)【要約】【課題】  広範囲かつ簡易に取扱いができ、使用しない場合には小さく折り畳んで持ち運びを容易にする携帯用担架を提供する。【解決手段】  可撓性と通気性又は通水性とを備えた上敷きシート12と、可撓性を備えた縦ベルト131及び横ベルト132を格子状に交差させた下敷きシート13とを同じ大きさで重ねあわて一体化したシート本体11とし、延長した横ベルト132を前記シート本体11の周縁に架け渡して複数の持ち手14として構成する携帯用担架１であり、汚染防止シート15を上敷きシート12へ着脱自在にする。【選択図】  図１
2006034884.tif 000002
【特許請求の範囲】
【請求項１】
可撓性と通気性又は通水性とを備えた上敷きシートと、可撓性を備えた多数のベルトを格子状に交差させた下敷きシートとを同じ大きさで重ねあわて一体化したシート本体とし、可撓性を備えた複数のベルトを前記シート本体の周縁に架け渡して複数の持ち手としてなる携帯用担架。
【請求項２】
シート本体は、上敷きシートに面ファスナーの一方を取り付け、面ファスナーの他方を取り付けた汚染防止シートを前記面ファスナーの一方を取り付けた上敷きシートの部分へ着脱自在にした請求項１記載の携帯用担架。
【請求項３】
上敷きシートは、多数の小孔を設けた織布又は不織布からなる請求項１記載の携帯用担架。
【請求項４】
上敷きシートは、小さなメッシュサイズの織布又は不織布からなる請求項１記載の携帯用担架。
【請求項５】
下敷きシートは、担架の長手方向に沿う縦ベルトと、担架の短手方向に沿う横ベルトとを、横ベルトを下側にして交差させてなる請求項１記載の携帯用担架。
【請求項６】
下敷きシートは、担架の長手方向に沿う縦ベルトと、担架の短手方向に沿う横ベルトとを、上下に互い違いに交差させてなる請求項１記載の携帯用担架。
【請求項７】
持ち手は、同じ側縁に並ぶ一組の横ベルトの一方又は他方を延長して互いに接続することにより構成してなる請求項５又は６いずれか記載の携帯用担架。
【請求項８】
下敷きシートは、担架の長手方向に交差する斜めベルトを、上下に互い違いに交差させてなる請求項１記載の携帯用担架。
【請求項９】
持ち手は、同じ側縁に並ぶ一組の斜めベルトの一方又は他方を延長して互いに接続することにより構成してなる請求項８記載の携帯用担架。
【発明の詳細な説明】
【技術分野】
【０００１】
本発明は、折り畳むことにより人一人を携行可能で、必要時に展開して傷病者又は要介護者の搬送等に利用でき、例えば要介護者と共に浴槽に浸けることもできる携帯用担架に関する。
【背景技術】
【０００２】
傷病者又は要介護者の移動に利用される通常の担架は、金属製のフレームに帆布をシート本体として架け渡した構造を有する。この担架は、フレームの前後方向に延びる持ち手を有し、前後２人の各運搬者がそれぞれ同じ向きを向いて前記持ち手を持つことにより、シート本体に傷病者又は要介護者を乗せて運搬することができる。こうした担架は、金属製のフレームを用いているために頑丈であるが、通常フレームを折り畳むことができず、仮に折り畳めても人一人で携行できるほどコンパクトに折り畳むことはできない。
【０００３】
そこで、携行が容易な担架として、フレームのない担架がいくつか提案されている。例えば特許文献１は、主として院内での要介護者の移動を助けるストレッチャとして、ベルトを格子状に組んでシート本体を構成する担架（介助用移動帯と表記）を提案している。シート本体が可撓性のあるベルトで構成されているため、小さく折り畳むことができる。また、特許文献１では、要介護者の運搬を手作業でしていた場合と比べての前記担架の利点を主張しているほか、フレームのある担架に比べて安価に製造できる点や、要介護者と共に浴槽に浸けることのできる利点がうたわれている。
【０００４】
【特許文献１】特開平09-103450号公報（２頁〜３頁、図１）
【発明の開示】
【発明が解決しようとする課題】
【０００５】
特許文献１が提示する担架の利点は、ベルトを格子状に組んで構成したシート本体によるところが大きい。ところが、ベルト相互に比較的大きな隙間が形成されることにより、シート本体に乗せた傷病者又は要介護者の手足がベルトの隙間に落ち込んでしまう問題がある。この問題を解消するため、例えばベルト相互の間隔を人の指よりも小さくすることも考えられるが、これでは実質帆布でシート本体を構成することと変わりなく、ベルトを格子状に組んで構成するシート本体の利点が損なわれる。
【０００６】
また、特に傷病者を乗せて運ぶ場合、吐血等によりシート本体が汚れてしまう問題がある。これについては、シート本体に別途タオル又は敷布等を被せて使用することも考えられるが、傷病者が暴れたりすると、単にシート本体にタオル又は敷布等を被せるだけでは不十分で、前記タオル又は敷布がめくれたところから、シート本体が汚れてしまう。そこで、特許文献１に見られる担架の問題点を解消し、より広範囲かつ簡易に取扱いのできる携行可能な担架、すなわち携帯用担架を開発するために、検討した。
【課題を解決するための手段】
【０００７】
検討の結果開発したものが、可撓性と通気性又は通水性とを備えた上敷きシートと、可撓性を備えた多数のベルトを格子状に交差させた下敷きシートとを同じ大きさで重ねあわせて一体化したシート本体とし、可撓性を備えた複数のベルトを前記シート本体の周縁に架け渡して複数の持ち手とした携帯用担架である。この携帯用担架は、構成要素がすべて可撓性を備えているので、小さく折り畳んで携行できる。ここで、シート本体は、上敷きシートに面ファスナーの一方を取り付け、面ファスナーの他方を取り付けた汚染防止シートを前記面ファスナーの一方を取り付けた上敷きシートの部分へ着脱自在にするとよい。
【０００８】
本発明の携帯用担架は、可撓性と通気性又は通水性とを備えた上敷きシートが、傷病者又は要介護者を乗せる実質的な担架である。これから、下敷きシートは上記上敷きシートを下方から支える補強材としての役割を担うことになる。下敷きシートを構成するベルトは、下敷きシートとして必要な強度を有すれば、素材を問わない。シート本体は、上敷きシート及び下敷きシートを前記記載順に重ねるため、下敷きシートを構成するベルトの段差に引っかかる虞れのない平坦な表面を、連続する上敷きシートにより実現できる。
【０００９】
実質的な担架となる上敷きシートは、可撓性と通気性又は通水性とを備えればよく、多数の小孔を設けた織布又は不織布、又は小さなメッシュサイズの織布又は不織布を用いることができる。ここで、織布又は不織布に設ける小孔は内径数mm程度以下、メッシュサイズは通常市販されている程度の範囲にあればよい。こうした織布又は不織布は、当然手足より小孔又はメッシュサイズが小さいため、手足が落ち込む心配のないシート本体を構成する。また、上敷きシートは通気性又は通水性を備えるため、シート本体毎傷病者又は要介護者を浴槽に浸けることができる。
【００１０】
上敷きシート及び下敷きシートは、同じ大きさで重ねあわせて一体化することによりシート本体としている。このとき、上敷きシート及び下敷きシートが互いにずれなければよく、上敷きシートは、下敷きシートのベルト又はベルトの交差部位に縫着又は接着して完全な一体化を図ってもよいし、上敷きシート及び下敷きシートの周縁のみを縫着又は接着してシート本体全体として上敷きシートの自由度を確保してもよい。持ち手となるベルトは、上敷きシート又は下敷きシートのいずれに架け渡してもよいが、補強材となる下敷きシートに架け渡す方が好ましい。より好ましくは、下敷きシートを構成するベルトを延長して、シート本体の周縁に架け渡して持ち手にするとよい。
【００１１】
汚染防止シートは、吐血等の洗い流しが容易な専用シートを用いてもよいが、あくまでシート本体の汚染防止を図るためだけであればタオルを用いてもよい。この汚染防止シートは、上敷きシートに取り付けることで吐血等によりシート本体が汚染されることを防止する。これから、汚染防止シートは、特に傷病者又は要介護者の頭部側で着脱自在にするとよい。また、汚染防止シートは、面ファスナーにより上敷きシートに固定されるため、容易にはがれにくく、位置ずれもしない利点がある。
【００１２】
下敷きシートは、実質的な担架となる上敷きシートを支えることができる構成であれば、ベルトをどのように交差させてもよい。不規則なベルトの交差は下敷きシートの製造を難しくするし、下敷きシートのベルトを延長して持ち手を形成する場合、持ち手の位置又は大きさがまちまちになり、好ましくない。そこで、下敷きシートは、担架の長手方向に沿う縦ベルトと、担架の短手方向に沿う横ベルトとを、横ベルトを下側にして交差させて構成する、又は担架の長手方向に沿う縦ベルトと、担架の短手方向に沿う横ベルトとを、上下に互い違いに交差させて構成し、持ち手は、同じ側縁に並ぶ一組の横ベルトの一方又は他方を延長して互いに接続して構成するとよい。
【００１３】
また、下敷きシートは、担架の長手方向に交差する斜めベルトを、上下に互い違いに交差させて構成し、持ち手は、同じ側縁に並ぶ一組の斜めベルトの一方又は他方を延長して互いに接続して構成してもよい。上記縦ベルト及び横ベルトを交差（直交）させて構成する下敷きシートは、延長した横ベルトで構成する持ち手を両側縁に対向する位置関係で構成でき、同一の横ベルトにより傷病者又は要介護者を安定して持ち上げることができる。また、斜めベルトを交差（斜交）させて構成する下敷きシートでは、延長した横ベルトで構成する持ち手を両側縁に互い違いの位置関係で構成でき、持ち手により引張り上げることのできる範囲を広くして、傷病者又は要介護者を安定して持ち上げることができる。
【発明の効果】
【００１４】
本発明により、折り畳んで携行が可能で、展開した状態で傷病者又は要介護者の手足を落とし込むことなく安定して搬送でき、しかも要介護者を乗せたまま浴槽に浸けることのできる携帯用担架を提供できるようになる。また、本発明の携帯用担架は、吐血等による上敷きシートの汚染を防止する汚染防止シートを位置ずれなくシート本体に固定でき、必要により容易に取り外すことができるため、従来同種の担架に比べて、衛生的に利用できる利点がある。
【発明を実施するための最良の形態】
【００１５】
以下、本発明の実施形態について図を参照しながら説明する。図１は本発明に基づく携帯用担架１の斜視図、図２は携帯用担架１の分解斜視図、図３は携帯用担架１の平面図であり、図４は別例の携帯用担架２の平面図である。
【００１６】
本例の携帯用担架１は、外形が長さ1800mm及び幅600mmであるシート本体11から構成される。シート本体11は、図１〜図３に見られるように、小さなメッシュサイズの不織布からなる上敷きシート12と、縦ベルト131及び横ベルト132を直交関係に交差させた下敷きシート13とを重ね、上敷きシート12及び下敷きシート13の周縁を縫着により一体化し、上敷きシート12の自由度を確保した状態で構成している。持ち手14は、前記シート本体11の横ベルト132を延長して架け渡し、構成している。本例の持ち手14は、シート本体11の左右両側縁に４つずつ、計８つ設けている。また、シート本体11は、傷病者又は要介護者の頭部に相当する部分に、汚染防止シート15を着脱自在に取り付けている。
【００１７】
下敷きシート13の縦ベルト131及び横ベルト132は、共に幅40mmのポリプロピレン繊維製ベルトである。シート本体は、約72mmの等間隔で６本の縦ベルト131を、約86mmの等間隔で15本の横ベルト132を配し、これら縦ベルト131及び横ベルト132を上下に互い違いに交差させ、交差部分を縫着して構成し、一体性を高めている。持ち手を形成する横ベルトによる傷病者又は要介護者の支持を重視した場合、横ベルトを縦ベルトの下側にして交差させて下敷きシートを構成するとよい。各縦ベルト131及び横ベルト132は、前記のように大きな間隔を開けて並べることにより、下敷きシート13として可撓性が実現され、小さく折り畳むことができる。また、下敷きシート13の上面には、小さなメッシュサイズの不織布からなる上敷きシート12を重ねているので、各縦ベルト131及び横ベルト132の間から手足が落ち込む虞れはない。
【００１８】
持ち手14は、横ベルト132を１本おきに左右方向にそれぞれ延長し、延長した横ベルト132相互を接続することで、シート本体11の左右両側に一対の関係で形成している。このため、図３に見られるように、各持ち手14は互いに引っ張りあう関係（図３中太矢印及び破線矢印参照）にあり、シート本体11に乗せた傷病者又は要介護者の安定した搬送を実現している。このほか、持ち手は、１本の横ベルトのみを延長して架け渡し、下敷きシートの側縁に接続して構成してもよい。
【００１９】
本例の汚染防止シート15は、シート本体11の幅に等しく、シート本体11の長手方向に１/５の大きさのタオルに面ファスナーの雄面151を左右に２枚ずつ、計４枚取り付けて構成している。シート本体11は、上敷きシート12及び下敷きシート13の間に布製の補強シート152を介装し、前記汚染防止シート15に取り付けた面ファスナーの雄面151に対応する位置で、上敷きシート12に面ファスナーの雌面153を取り付けている。これにより、汚染防止シート15は面ファスナーの係脱により、シート本体11に対して着脱自在になっている。
【００２０】
本例の携帯用担架１に乗せた要介護者は、この携帯用担架１と共に浴槽に浸けることができる。このとき、縦ベルト131及び横ベルト132の間隔が大きい下敷きシート13はもちろん、メッシュにより通水性を備えた上敷きシート12は、いずれも水の抵抗を受けることがないため、シート本体11は無理なく湯中に沈めることができる。また、シート本体11を通して要介護者の背面にも湯が流れ込むから、要介護者をしっかりと湯中に浸けることができる。
【００２１】
このように、本発明の携帯用担架１は、要介護者と共に浴槽に浸ける利用態様が考えられるため、特に下敷きシート13を構成する縦ベルト131及び横ベルト132に撥水処理を施し、各縦ベルト131及び横ベルト132内に湯が浸透しないようにすることが望ましい。こうした撥水処理は、このほか吐血等の汚染があった場合でも、各縦ベルト131及び横ベルト132に付着した吐血を直ちに拭き取ることで、汚染の定着を防止できる利点をもたらす。
【００２２】
下敷きシートは、強度的に弱い上敷きシートを補強することが主であるから、上記例示のように、縦ベルト及び横ベルトが直交するように交差させる構成に限定されない。例えば、図４に見られるように、上述の例と同じ上敷きシート22と、斜めベルト233を交差させた下敷きシート23とを重ねて周縁を縫着して一体化したシート本体21を用いた携帯用担架２であってもよい。この場合、斜めベルト233だけではシート本体21の周囲が揃わないので、下敷きシート23の外形を整形用の縦ベルト231及び横ベルト232で囲み、この縦ベルト231及び横ベルト232内に斜めベルト233を架け渡す構成になっている。このほか、本例の携帯用担架２も、上敷きシート22及び下敷きシート23に補強シート252を介装し、面ファスナーの雄面251及び面ファスナーの雌面253の係脱により着脱自在とした汚染防止シート25を設けることができる。
【００２３】
この携帯用担架２における持ち手24は、延長した斜めベルト233をシート本体21の左右両側から突出させて掛け回すことで構成している。このため、各持ち手24の負荷は、斜めベルト233に沿って斜め前又は後の反対側の持ち手24に加わるほか、整形用の縦ベルト231に沿ってシート本体21の長手方向に加わったり、単純にシート本体21の短手方向に対向する持ち手24に加わる(図４中太矢印及び破線矢印参照)。すなわち、本例の携帯用担架２は、一つの持ち手24で広範囲を支えることができ、より安定した傷病者又は要介護者の搬送を実現できる。
【図面の簡単な説明】
【００２４】
【図１】本発明に基づく携帯用担架の斜視図である。
【図２】携帯用担架の分解斜視図である。
【図３】携帯用担架の平面図である。
【図４】別例の携帯用担架の平面図である。
【符号の説明】
【００２５】
１  携帯用担架
11  シート本体
12  上敷きシート
13  下敷きシート
131  縦ベルト
132  横ベルト
14  持ち手
15  汚染防止シート
151  面ファスナーの雄面
152  補強シート
153  面ファスナーの雌面
２  携帯用担架
21  シート本体
22  上敷きシート
23  下敷きシート
231  整形用の縦ベルト
232  整形用の横ベルト
233  斜めベルト
24  持ち手
25  汚染防止シート
251  面ファスナーの雄面
252  補強シート
253  面ファスナーの雌面
【図１】
2006034884.tif 000003
【図２】
2006034884.tif 000004
【図３】
2006034884.tif 000005
【図４】
2006034884.tif 000006